(57)【要約】Ｂ細胞に発現を指令する転写調節配列に作用的に結合したＴＣＬ１をコードする核酸配列を含有する遺伝子導入動物が開示される。このような遺伝子導入動物は、ヒトＢ細胞慢性リンパ球性白血病のために有用な動物モデル系を提供する。【特許請求の範囲】
【請求項１】
遺伝子導入動物であって、そのゲノムが、Ｂ細胞に発現を指令できる少なくとも１個の転写調節配列をＴＣＬ１をコードする核酸配列に作用的に結合してなる核酸構築物を含む、遺伝子導入動物。
【請求項２】
前記少なくとも１個の転写調節配列がＶHプロモーターを含む請求項１に記載の遺伝子導入動物。
【請求項３】
前記少なくとも１個の転写調節配列がＩＧH−μエンハンサーをさらに含む請求項２に記載の遺伝子導入動物。
【請求項４】
前記ＴＣＬ１をコードする核酸配列がヒトＴＣＬ１をコードするＤＮＡ配列を含む請求項１に記載の遺伝子導入動物。
【請求項５】
前記ＶHプロモーターがマウス由来である請求項２に記載の遺伝子導入動物。
【請求項６】
前記ＩＧH−μエンハンサーがマウス由来である請求項３に記載の遺伝子導入動物。
【請求項７】
前記動物がマウスである請求項１に記載の遺伝子導入動物。
【請求項８】
前記動物が拡大したＣＤ５+Ｂ細胞ポピュレーションを示す請求項１に記載の遺伝子導入動物。
【請求項９】
前記動物がリンパ増殖性状態を示す請求項１に記載の遺伝子導入動物。
【請求項１０】
前記リンパ増殖性状態が前白血病状態を含む請求項９に記載の遺伝子導入動物。
【請求項１１】
前記リンパ増殖性状態が白血病を含む請求項９に記載の遺伝子導入動物。
【請求項１２】
前記白血病がヒトＢ−ＣＬＬの特徴を示す請求項１１に記載の遺伝子導入動物。
【請求項１３】
ゲノムがＴＣＬ１をコードする核酸配列を含む核酸構築物を含む遺伝子導入動物であって、該配列がＶHプロモーター及びＩＧH−μエンハンサーに作用的に結合し、ＴＣＬ１が該動物の未熟及び成熟Ｂ細胞内で発現する、遺伝子導入動物。
【請求項１４】
次の段階：
（ａ）遺伝子導入動物であってそのゲノムがＢ細胞に発現を指令できる少なくとも１個の転写調節配列をＴＣＬ１をコードする核酸配列に作用的に結合してなる核酸構築物を含むものから白血球細胞を得、
（ｂ）該細胞をカウントし、
（ｃ）該細胞の所定数を該遺伝子導入動物と同系の受容体動物に注入すること
を含むリンパ増殖性疾患を有する動物の作製方法であって、このように注入される該細胞の数が該受容体動物にリンパ増殖性疾患を生じさせるのに有効なものである、リンパ増殖性疾患を有する動物の作製方法。
【請求項１５】
リンパ増殖性疾患に影響を及ぼす治療モダリティーの能力を決定する方法であって、次の段階：
（ａ）第１の遺伝子導入動物であって、そのゲノムがＢ細胞に発現を指令できる少なくとも１個の転写調節配列をＴＣＬ１をコードする核酸配列に作用的に結合してなる核酸構築物を含むものを準備し、
（ｂ）該第１遺伝子導入動物に該治療モダリティーを投与し、
（ｃ）該遺伝子導入動物でＢ細胞ポピュレーションの分析を実行し、
（ｄ）第２動物である対照動物であって、そのゲノムがＢ細胞に発現を指令できる少なくとも１個の転写調節配列をＴＣＬ１をコードする核酸配列に作用的に結合してなる核酸構築物を含み、且つ、治療モダリティーを受けていないものを準備し、
（ｅ）該対照動物でＢ細胞ポピュレーションの分析を実行し、
（ｆ）段階（ｃ）の分析と段階（ｅ）の分析とを比較すること
を含み、該リンパ増殖性疾患に影響を及ぼす治療モダリティーの能力が該第１遺伝子導入動物と該対照動物との間のＢ細胞ポピュレーションの相違によって明白に示されることを特徴とする、リンパ球増殖性疾患に影響を及ぼす治療モダリティーの能力を決定する方法。
【請求項１６】
前記リンパ増殖性疾患がＢ細胞性腫瘍形成を含む請求項１５に記載の方法。
【請求項１７】
前記Ｂ細胞性腫瘍形成がＢ−ＣＬＬである請求項１６に記載の方法。
【請求項１８】
前記第１遺伝子導入動物及び前記対照動物がマウスである請求項１５に記載の方法。
【請求項１９】
前記分析がＣＤ５+Ｂ細胞の数及び／又はその相対的割合の測定を含む請求項１８に記載の方法。
【発明の詳細な説明】
【技術分野】
【０００１】
関連出願
本願は、２００２年４月２９日に出願された米国仮出願第６０／３７６４６４号に基づく。
【０００２】
米国政府の援助
本発明は、米国国立癌研究所により承認番号ＰＯ１−ＣＡ７６２５９及びＰＯ１−ＣＡ８１５３４に基づき援助されている。米国政府は、本発明において一定の権利を有し得る。
【０００３】
発明の分野
本発明は、リンパ増殖性疾患のための遺伝子導入動物モデルに関する。より具体的には、本発明は、ヒトＢ細胞慢性リンパ球性白血病のための遺伝子導入動物モデルに関する。また、本発明は、リンパ増殖性疾患を治療し且つ予防するモダリティーを試験するために動物モデルを使用する方法に関するものでもある。
【背景技術】
【０００４】
Ｂ細胞慢性リンパ球性白血病（Ｂ−ＣＬＬ）は、西側世界において最も一般的な白血病であり、米国では毎年１００００もの新たな症例が報告されている(Rai，K及びPatel，D.C.(1995)，Hematology，「Basic Principles and Practice」，Hoffman外編（チャーチル・リビングストーン，ニューヨーク），pp.1308-1321;Landis，S.H.，Murray，T.，Bolden，S.及びWingo，P.A.(1998)CA cancer J.Clin，48巻，6-29）。その特徴として、Ｂ−ＣＬＬは、正常なＣＤ５+Ｂリンパ球に由来し得る白血病性クローンが次第に蓄積することによって生じる高齢者の病気である(Caligaris-Cappio，F.，Gobbi，M.，Bofill，M.及びJanossy，G.(1982)，J.Exp.Med，155巻，623-628)。Ｂ−ＣＬＬは、ＣＤ５発現との一貫した関連を有し(Caligaris-Cappio，F.，Gobbi，M.，Bofill，M.及びJanossy，G.(1982)，J.Exp.Med，155巻，623-628)、そしてＢ細胞上でのＣＤ５発現の役割及び意味について議論の余地はあるものの、ＣＤ５+Ｂ細胞をＢ−ＣＬＬの通常の相当物とみなすのが依然として合理的である(Boumsell，L.，Bernard，A.，Lepage，V.，Degos，L.，Lemerle，J.及びDausset，J.，L.(1978)，Eur.J.Immunol.8，900-904;Kantor，A.B.(1991)，Immunol.Today 12，389-391)。
【０００５】
ヒト造血器悪性腫瘍は、多くの場合、Ｔ細胞受容体（ＴＣＲ）座又は免疫グロブリン（Ｉｇ）座のいずれかを伴う染色体転座に起因する(Croce，C.M.(1987)，Cell，49巻，155-156)。これらの染色体の切断点は、ＴＣＲ座及びＩｇ座のエンハンサー要素を原癌遺伝子に近接させ、そして癌遺伝子の調節解除により腫瘍化開始に至る(Dalla-Favera，R.，Bregni，M.，Erikson，J.，Patterson，D.，Gallo，R.C.及びCroce，C.M.(1982)，Proc.Natl.Acad.Sci.USA 79，7824-7827;ar-Rushdi，A.，Nishikura，K.，Erikson，R.W.，Rovera，G.及びCroce、C.M.(1983)，Science 222，390-393)。
【０００６】
第１４番染色体ｑ３２．１で同定されたＴＣＬ１遺伝子(Virgilio，L.，Narducci，M.G.，Isobe，M.，Billips，L.G.，Cooper，M.D.，Crose，C.M.及びRusso，G.(1994)Proc.Natl.Acad.Sci.USA 91，12530-12534)は、一般に、このものを第１４番染色体ｑ１１又は第７番染色体ｑ３５のＴ細胞受容体座に近接させる逆位又は転座によって活性化される。このＴＣＬ１遺伝子は、成熟Ｔ細胞性白血病において染色体の転座及び逆位に関わっている。これらの白血病は、かなり晩年に生じる前駆Ｔリンパ球性白血病又は多くの場合若年の毛細血管拡張性運動失調症（ＡＴ）の患者に生じる急性Ｔリンパ球性白血病のいずれかとして分類されている。ＴＣＬ１は、散発性及び毛細血管拡張性運動失調関連Ｔ−ＰＬＬにおいて過剰発現することが分かっている(Narducci，M.G.，Stoppacciaro A.，Imada，K.，Uchiyama，T.，Virgilio，L.，Lazzeri，C.，Croce，C.M.及びRusso G.(1997)Cancer Res.57，5452-5456;Thick，J.，Metacalfe，J.A.，Mak，Y-F.，Beatty，D.，Minegishi，Dyer，M.J.S.，Lucas，G.及びTaylor，A.M.R.(1996)Oncogene，12巻，379-386)。遺伝子導入動物では、ＴＣＬ１の調節解除された発現は成熟Ｔ細胞性白血病に至るが、これはＴ細胞性腫瘍形成の悪性転換の起始におけるＴＣＬ１の役割を示している。ＴＣＬ１が真正癌遺伝子であるという証拠が提供された：Ｔ細胞区画内のｌｃｋプロモーターによって働く異所発現により長期潜伏期間の後にＴ細胞性白血病がヒト成熟Ｔ細胞性白血病と非常に類似するパターンで発生する遺伝子導入マウスモデルが開発された(Virgilio，L.，Lazzeri，C.，Bichi，R.，Nibu，K.，Narducci，M.G.，Russo G.，Rothstein，J.L.及びCroce C.M.(1998)Proc.Natl.Acad.Sci.USA95巻，3885-3889)。正常のＴ細胞では、ＴＣＬ１は非常に初期のＣＤ４／ＣＤ８ダブルネガティブ段階でしか発現しないが、より成熟したＴ細胞はＴＣＬ１発現を欠失している(Virgilio，L.，Narducci，M.G.，Isobe，M.，Billips，L.G.，Cooper，M.D.，Croce，C.M.及びRusso，G.(1994)Proc.Natl.Acad.Sci.USA 91巻，12530-12534)。Ｂ細胞系統では、ＴＣＬ１遺伝子産物であるＴｃｌ１は、前Ｂ細胞、表面ＩｇＭ発現始原Ｂ細胞、外套細胞及び胚中心Ｂ細胞内で発見されたが、これは、Ｂ細胞分化の後期で、即ち形質細胞で下方調節される(Virgilio，L.，Narducci，M.G.，Isobe，M.，Billips，L.G.，Cooper，M.D.，Croce，C.M.及びRusso，G.(1994)Proc.Natl.Acad.Sci.USA 91巻，12530-12534)。興味深いことに、高レベルのＴｃｌ１が前Ｂ細胞から成熟Ｂ細胞までを範囲とする広範囲のヒト腫瘍由来Ｂ細胞系統及び多くの場合にはＢ細胞腫瘍形成で見出された(Takizawa，J.，Suzuki，R.，Kuroda，H.，Utsunomiya，A.，Kagami，Y.，Joh，T.，Aizawa，Y.，Ueda，R.及びSeto，M.(1998)Jpn.J.Cancer Res.89巻，712-718;Narducci，M.G.，Pescarmona，E.，Lazzeri，C.，Signoretti，S.，Lavinia，A.M.，Remotti，D.，Scala，E.，Baroni，C.D.，Stoppacciaro，A.，Croce，C.M.外.(2000)Cancer Res.60巻，2095-2100)。Ｂ細胞発生及びＢ細胞性腫瘍形成におけるＴＣＬ１の役割をさらに解明するために、本発明者は、Ｂ細胞区画への導入遺伝子の発現を特異的に標的にする活性を有するプロモーター及びエンハンサーの調節下にある遺伝子導入マウスを生み出した(Shaw，A.C.，Swat，W.，Ferrini，R.，Davidson，L.及びAlt，F.W.(1999)J.Exp.Med.189，123-129)。ここでは、Ｅμ−ＴＣＬ１遺伝子導入マウスがヒトＣＬＬに類似する病気になることを説明する。このマウスは、最初に、血中、脾臓、骨髄、腹腔及び末梢リンパ系組織で明白な前白血病状態になり、その後にＣＬＬの特徴を全て備えた明白な白血病になる。これらの知見は、ＴＣＬ１及び／又はＴＣＬ１経路における他の遺伝子がヒトＣＬＬの起始の原因であることを強く示すものである。しかして、ここで説明される動物モデルは、ヒトＢ−ＣＬＬのための in vivo モデルを提供する。
【非特許文献１】Rai，K及びPatel，D.C.，Hematology，「Basic Principles and Practice」，Hoffman外編，1995年，p.1308-1321
【非特許文献２】Landis，S.H.，Murray，T.，Bolden，S.及びWingo，P.A.CA cancer J.Clin，1998年，48巻，p.6-29
【非特許文献３】Caligaris-Cappio，F.，Gobbi，M.，Bofill，M.及びJanossy，G.，J.Exp.Med，1982年，155巻，p.623-628
【非特許文献４】Boumsell，L.，Bernard，A.，Lepage，V.，Degos，L.，Lemerle，J.及びDausset，J.，L.，Eur.J.Immunol.1978年8巻，p.900-904
【非特許文献５】Kantor，A.B.，Immunol.Today，1991年，12巻，p.389-391
【非特許文献６】Croce，C.M.，Cell，1987年，49巻，p.155-156
【非特許文献７】Dalla-Favera，R.，Bregni，M.，Erikson，J.，Patterson，D.，Gallo，R.C.及びCroce，C.M.，Proc.Natl.Acad.Sci.USA，1982年，79巻，p.7824-7827
【非特許文献８】ar-Rushdi，A.，Nishikura，K.，Erikson，R.W.，Rovera，G.及びCroce、C.M.，Science，1983年，222巻，p.390-393
【非特許文献９】Virgilio，L.，Narducci，M.G.，Isobe，M.，Billips，L.G.，Cooper，M.D.，Crose，C.M.及びRusso，G.，Proc.Natl.Acad.Sci.USA，1994年，91巻，p.12530-12534
【非特許文献１０】Narducci，M.G.，Stoppacciaro A.，Imada，K.，Uchiyama，T.，Virgilio，L.，Lazzeri，C.，Croce，C.M.及びRusso G.，Cancer Res.，1997，57巻，p.5452-5456
【非特許文献１１】Thick，J.，Metacalfe，J.A.，Mak，Y-F.，Beatty，D.，Minegishi，Dyer，M.J.S.，Lucas，G.及びTaylor，A.M.R.，Oncogene，1996年，12巻，p.379-386
【非特許文献１２】Virgilio，L.，Lazzeri，C.，Bichi，R.，Nibu，K.，Narducci，M.G.，Russo G.，Rothstein，J.L.及びCroce C.M.，Proc.Natl.Acad.Sci.USA，1998年，95巻，p.3885-3889
【非特許文献１３】Virgilio，L.，Narducci，M.G.，Isobe，M.，Billips，L.G.，Cooper，M.D.，Croce，C.M.及びRusso，G.，Proc.Natl.Acad.Sci.USA，1994年，91巻，p.12530-12534
【非特許文献１４】Takizawa，J.，Suzuki，R.，Kuroda，H.，Utsunomiya，A.，Kagami，Y.，Joh，T.，Aizawa，Y.，Ueda，R.及びSeto，M.，Jpn.J.Cancer Res.，1998年，89巻，p.712-718
【非特許文献１５】Narducci，M.G.，Pescarmona，E.，Lazzeri，C.，Signoretti，S.，Lavinia，A.M.，Remotti，D.，Scala，E.，Baroni，C.D.，Stoppacciaro，A.，Croce，C.M.外，Cancer Res.，2000年，60巻，p.2095-2100
【非特許文献１６】Shaw，A.C.，Swat，W.，Ferrini，R.，Davidson，L.及びAlt，F.W.，J.Exp.Med.，1999年，189巻，p.123-129
【発明の開示】
【発明が解決しようとする課題】
【０００７】
本発明は、部分的には、リンパ増殖性疾患のための新規な動物モデルに関する。具体的には、本発明のある種の側面によれば、ヒトＢ−ＣＬＬのための動物モデルを提供する。
【課題を解決するための手段】
【０００８】
本発明の一具体例では、遺伝子導入動物であって、そのゲノムが、Ｂ細胞に発現を指令できる少なくとも１個の転写調節配列をＴＣＬ１をコードする核酸配列に作用的に結合してなる核酸構築物又は導入遺伝子を含むものを提供する。本発明の好ましい具体例では、この導入遺伝子は、ＶHプロモーター及びＩｇH−μエンハンサーの転写調節下に置かれたＴＣＬ１をコードするＤＮＡ配列を含む。
【０００９】
本発明の別の具体例では、リンパ球増殖を示す遺伝子導入動物からの白血球細胞を第２の動物（非遺伝子導入動物であることができる）に転移させ、それによって該第２「受容体」動物で迅速なリンパ増殖性疾患の発症を誘導させることができる。
【００１０】
本発明の別の具体例によれば、リンパ増殖性疾患を予防及び／又は治療するための見込まれる治療モダリティーを、本発明の一つ以上の側面に従って作製された動物においてこのようなモダリティーの抗リンパ増殖活性を測定することによって検査することができる。
【００１１】
本発明のこれら側面並びにその他の重要な側面は、次の詳細な説明から明らかになるであろう。
【発明を実施するための最良の形態】
【００１２】
図面の簡単な説明
本願の図面には、少なくとも１つの色つきの図面が含まれている。色つきの図面を有する米国特許出願公開公報の写しは、請求及び必要な費用の支払いに基づき米国特許商標庁によって提供されるであろう。
【００１３】
図１Ａ〜１Ｄは、Ｅμ−ＴＣＬ１遺伝子導入マウスの作製を示している。（Ａ）該マウスを生み出すために使用した構築物の略図である。制限部位：Ｘ＝ＸｈｏＩ、Ｓ＝ＳａｌＩ、Ｅ＝ＥｃｏＲＶ、Ｂ＝ＢｓｓＨII。（Ｂ）創始者群及び非ＴＧコントロールの両方についての第１遺伝子導入後代のテールから単離されたＤＮＡのサザンブロット分析。（Ｃ）遺伝子導入（Ｆ３及びＦ１０）及び非遺伝子導入（Ｃ＝コントロール）マウスの組織からの蛋白質抽出物についての免疫ブロット分析。６９７＝高レベルのＴｃｌ１蛋白質（９）を発現する前Ｂ白血病性細胞系統６９７。（Ｄ）脾臓Ｂ細胞のゲートサブセットについてのＴＣＬ１発現。上のパネルはＦ３後代を指し、下のパネルはＦ１０後代を示している（青色＝遺伝子導入（ＴＧ）、赤色＝非遺伝子導入（非ＴＧ））。
【００１４】
図２Ａ〜２Ｅは、Ｅμ−ＴＣＬ１マウスのキャラクテリゼーションを示している。（Ａ）遺伝子導入動物及び非ＴＧ同腹子の骨髄、脾臓及び腹腔からの単一細胞懸濁液におけるＩｇＭとＣＤ５の発現の相関関係。（Ｂ）Ｅμ−ＴＣＬ１動物の拡大した縁帯を示すヘマトキシリン及びエオシンで染色されたマウス脾臓。（Ｃ）ＭＺのリンパ系細胞中のＴｃｌ１蛋白質の免疫検出。（Ｄ）ＰＩ標識による細胞のＩｇＭ及びＣＤ５サブセットについての細胞周期分析。（Ｅ）ＢｒｄＵ取り込みによる細胞増殖分析。
【００１５】
図３Ａ〜３Ｂは、ＩｇＨ遺伝子構成の分析を示している。（Ａ）ＩｇＨ遺伝子再構成をＥｃｏＲＩ及びＳｔｕＩ消化脾細胞ＤＮＡについてサザンブロットにより分析した。７、８及び９ヶ月の遺伝子導入マウス（＋）は再構成バンドを示す（星印）。最も若いマウスでは顕著な再構成は観察されない。コントロール（−）は、６．５ｋｂのＥｃｏＲＩ及び４．７ｋｂのＳｔｕＩゲノム断片を有する非ＴＧマウスである。（Ｂ）ＣＤ５+／ＩｇＭ+の拡大したポピュレーションを有する遺伝子導入マウス（＃４０、＃４１）の骨髄、脾臓及び腹腔から単離されたＤＮＡについてのサザンブロット。ＩｇＨ遺伝子の顕著な再構成が脾臓及び腹腔で検出された（星印）。非ＴＧマウスの脾臓からのＤＮＡをコントロールとして使用した。
【００１６】
図４Ａ〜４Ｈは、Ｅμ−ＴＣＬ１マウスの組織病理学分析を示している。（Ａ）循環リンパ球数の増加を示すライト・ギムザ法で染色された血液塗抹標本。（Ｂ）血液塗抹標本の拡大図。（Ｃ）脾臓、肝臓（Ｅ）及び頸部リンパ節（Ｇ）のヘマトキシリン−エオシン染色後の組織。（Ｄ）脾臓、肝臓（Ｆ）及び頸部リンパ節（Ｈ）中のＴｃｌ１蛋白質の免疫検出。挿入写真：一次抗体を除外したネガティブコントロール。
【００１７】
図５は、遺伝子導入マウスからの白血病におけるＩｇＨ遺伝子再構成のサザンブロット分析を示している。白血病マウスからのＤＮＡ及び同腹子のコントロールをＳｔｕＩで消化した。強い４．７ｋｂのバンドは、その生殖細胞系構成内の遺伝子を表している。クローン性再構成を星印で示している。レーン１及び２＝遺伝子導入系統Ｆ３からの白血病マウス、レーン３及び４＝遺伝子導入系統Ｆ１０からの白血病マウス、レーン５＝非遺伝子導入マウス。
【００１８】
例示具体例の詳細な説明
上で使用するとき及び本明細書全体にわたって使用するときに、次の用語は、特記しない限り、次の意味を有するものと理解されたい。
【００１９】
本明細書で使用するときに、用語「動物」は、ヒトを除く全ての脊椎動物を含むように使用する。また、これには、胚及び胎児期を含め、全ての発生段階にある個々の動物も含まれる。「遺伝子導入動物」とは、細胞以下のレベルでの意図的な遺伝子操作、例えば、マイクロインジェクション又は組換えウイルスによる感染によって直接的に又は間接的に受容した遺伝情報を有する１個以上の細胞を含有する動物である。この導入された核酸分子は染色体内に組み込まれることができ、或いは染色体外で複製するＤＮＡであることができる。遺伝子導入動物としては、遺伝情報が生殖系細胞に導入され、それによって該情報を子孫に転移させる能力を与えられた動物を挙げることができるが、これらに限定されない。実際にこのような子孫がその情報のいくつか又は全てを保有する場合には、それらの子孫もまた遺伝子導入動物である。
【００２０】
「抗リンパ増殖活性」とは、リンパ増殖性疾患に関わる任意の腫瘍の生長を抑制し、阻害し、及び／又は破壊する任意の活性をいう。
【００２１】
本明細書において使用するときに、用語「拡大したＣＤ５+Ｂ細胞ポピュレーション」とは、本明細書の例２に示されるように、対照の動物と比較して、ＣＤ５+Ｂ細胞の数及び／又はＣＤ５+Ｂ細胞の割合が他のＢ細胞亜型に対して増加したことを表す実験動物におけるＢ細胞ポピュレーションをいう。
【００２２】
用語「エンハンサー」は、斯界に周知の意味に従って使用される。これは、研究されるべき遺伝子から数キロベースまでに位置する（いずれかの方向で）ときに遺伝子の転写を増大させ得る、真核細胞及びある種の真核細胞性ウイルス中に見出される配列を意味することを意図している。これらの配列は、通常、対象の遺伝子の５'側（上流）にあるときにエンハンサーとして作用する。しかしながら、いくつかのエンハンサーは、遺伝子の３'側（下流）に位置するときに活性である。場合によっては、エンハンサー要素は、（知られた）プロモーターなしに遺伝子の転写を活性化し得る。
【００２３】
「リンパ増殖性」とは、リンパ細網系細胞の増殖に関連する又はそれによって特徴付けられるものをいう。この用語は、一般的に、悪性腫瘍の群をいうために使用される。「リンパ細網」とは、リンパ球系及び細網内皮系の両方の細胞又は組織をいう。「リンパ増殖性疾患（又は「リンパ増殖性障害」又は「リンパ増殖性状態」）」とは、共通の多能性始原リンパ細網細胞に関連する細胞から生じる悪性腫瘍の群であって、とりわけ、リンパ球性白血病、組織球性白血病、単球性白血病、多発性骨髄腫、形質細胞腫、ホジキン病、全てのリンパ球性リンパ腫及び単クローン性免疫グロブリン血症に関連する免疫分泌疾患を含むものの一つをいう。また、本明細書において使用するときに、「リンパ増殖性疾患」又は「リンパ増殖性障害」又は「リンパ増殖性状態」とは、リンパ細網系細胞の増殖、増加及び／又は蓄積が正常又は対照の動物に対して変化するが、これに冒された動物がまだ上記腫瘍のうちの一つの症状を必ずしも示さない生理学的状態をもいう。本明細書において使用するときに、「前白血病」状態とは、白血病の明白な症状が発生し始めるそのようなリンパ増殖性状態をいう。
【００２４】
「腫瘍形成」とは、腫瘍の形成、即ち、一般的に正常細胞の増殖を誘引せず又は恐らくその停止の原因となるであろう条件下での細胞の飛躍的増殖をいう。
【００２５】
用語「プロモーター」は、斯界に周知の意味に従って使用される。これは、通常、遺伝子又はオペロンのコード配列に対して上流にあり、ＲＮＡポリメラーゼを結合させ且つこの酵素を正しい転写開始部位に導くＤＮＡ領域を意味することを意図する。
【００２６】
「治療モダリティー」とは、所定の病気、状態又は疾患を治療し及び／又は予防する任意の手段をいう。
【００２７】
用語「転写調節配列」は、斯界に周知の意味に従って使用される。これは、その配列に基づいて、結合した遺伝子を特定の細胞内で上方調節又は下方調節することができる任意のＤＮＡ配列を意味することを意図する。プロモーターの場合には、プロモーターは、一般にコード領域に隣接するであろう。しかしながら、エンハンサーの場合には、エンハンサーは、該エンハンサーとコード領域との間に介在ＤＮＡ配列が存在するようにコード領域から所定距離で機能し得る。
【００２８】
「導入遺伝子」とは、以下に説明する方法によるように、人が関与することによってヒト以外の動物の１個以上の細胞に導入される核酸配列をいう。
【００２９】
導入される遺伝情報は、受容体が属する動物の種にとって外来のものであることができ、特定の個々の受容体にとってのみ外来のものであることができ、又は受容体がすでに保有する遺伝情報であることができる。最後の場合には、導入された遺伝情報は、固有の内在遺伝子とは異なって発現し得る。
【００３０】
ある特定の蛋白質をコードするＤＮＡ配列（又は「コード領域」）を含み得る遺伝情報の発現を指令するために、対象のコード領域を少なくとも１個の転写調節配列に機能的な態様で連結させることができる。転写調節配列は、ある遺伝子の発現をある種の組織若しくはある種の発生段階に増大させ、減少させ、調節し又は指示するために使用できる。この転写調節配列は、天然型の配列である必要はない。
【００３１】
遺伝子導入動物を作製すために、胚に組換え構築物又は導入遺伝子を導入するための斯界に周知の任意の方法、例えば、マイクロインジェクション、細胞銃、トランスフェクション、リポソーム融合法、電気穿孔法などが使用できる。しかしながら、遺伝子導入動物を作製するために最も広く使用されている方法及び本発明に従う好ましい方法は、ＤＮＡ分子を受精卵の雄性前核に注入することを伴うマイクロインジェクションである(Brinster外，1981;Costantini外，1981;Harbers外，1981;Wagner外，1981;Gordon外，1976;Stewart外，1982;Palmiter外，1983;Hogan外，1986；米国特許第４８７０００９号；同５５５０３１６号；同４７３６８６６号；同４８７３１９１号）。組換え構築物／導入遺伝子を動物及びその胚細胞に導入するための上記方法は、もともとマウスで開発された。これらの方法は、その後、家畜種を含め、大動物での使用に合わせて改良された（ＷＯ８８／００２３９、ＷＯ９０／０５１８８、ＷＯ９２／１１７５７及びＳｉｍｏｎ外，１９８８）。また、接合体細胞質へのＤＮＡマイクロインジェクションも遺伝子導入動物を作製するために使用できる。
【００３２】
本発明は、任意の１種の動物種に限定されるものではないが、任意の適切なヒト以外の脊椎動物種を規定する。例えば、マウスが遺伝子導入動物を作製するために好ましい脊椎動物種であるが、テンジクネズミ、ウサギ、ブタ、ヒツジなどを含むその他の例（これらに限定されない）が適宜使用できる。マイクロインジェクションによる遺伝子導入動物を作製するための成功率はマウスが最も高く、この場合には、ＤＮＡが注入され、しかも雌に移植されたマウス受精卵のほぼ２５％が遺伝子導入マウスに発育するであろう。ウサギ、ブタ、ヒツジ及びウシではそれよりも低い成功率が達成された(Jaenisch，1988;Hammer外，1985及び1986;Wagner外，1984)。
【００３３】
核酸分子は、転写及び翻訳調節情報を含むヌクレオチド配列を含有する場合に、ある蛋白質を「発現できる」又はある蛋白質「の発現を指令できる」といい、そして、このような配列は、該蛋白質をコードするヌクレオチド配列に「作用的に結合」している。作用的結合とは、調節核酸配列と発現しようとする核酸配列とが遺伝子発現を可能にするような方法で連結する結合である。一般に遺伝子発現にとって必要な調節領域としては、例えば、プロモーター領域のような転写調節配列、並びに、ＲＮＡに転写されたときに蛋白質合成の開始を合図するＤＮＡ配列を挙げることができる。このような領域は、一般に、転写及び翻訳の開始に関わる５'非コード配列を包含するであろう。プロモーター領域は、このプロモーターがある種のＤＮＡ配列の転写を達成できた場合には、該ＤＮＡ配列に作用的に結合していよう。しかして、本発明の一具体例では、ＴＣＬ１をコードする配列をＢ細胞に発現を指令する転写調節配列に作用的に結合させて、次いで受精卵に導入される組換え構築物又は「導入遺伝子」を生じさせる。
【００３４】
導入された導入遺伝子の存在並びにその発現を評価するための方法は容易に利用でき且つ斯界に周知である。このような方法としては、外来ＤＮＡを検出するためのＤＮＡ（サザン）ハイブリダイゼーション法、ポリメラーゼ連鎖反応法（ＰＣＲ）、ポリアクリルアミドゲル電気泳動法（ＰＡＧＥ）及びＤＮＡ、ＲＮＡ又は蛋白質を検出するためのブロット法が挙げられるが、これらに限定されない。
【００３５】
Ｂ−ＣＬＬは、最も一般的なヒト白血病であり、その病因はいまだに知られていない。ＴＣＬ１の発現がＢ細胞に指令された遺伝子導入マウスは、ヒトＣＬＬに酷似するリンパ増殖性疾患を発症する。ここで与えられた結果は、ＴＣＬ１及び／又はＴＣＬ１経路の他の遺伝子がヒトＢ−ＣＬＬの起始の原因であることを強く示している。ここでは、本発明のある側面に従って、ヒトＢ−ＣＬＬの起始及び進行の根底にある機構を研究するために使用できる動物モデルを提供する。また、この動物モデルは、Ｂ−ＣＬＬに対して有用な新規な治療モダリティー並びにその他のリンパ増殖性疾患に対して有用な治療モダリティーの開発及び試験に使用することもできる。
【００３６】
本発明の一側面は、Ｂ細胞内でＴＣＬ１を発現する遺伝子導入動物に関する。本発明の一具体例では、遺伝子導入動物であって、そのゲノムが、Ｂ細胞に発現を指令できる少なくとも１個の転写調節配列をＴＣＬ１をコードする核酸配列に作用的に結合してなる核酸構築物又は導入遺伝子を含むものが提供される。本発明の好ましい具体例では、導入遺伝子は、ＶHプロモーター及びＩｇH−μエンハンサーの転写調節下に置かれたＴＣＬ１をコードするＤＮＡ配列を含む。このような動物では、ＴＣＬ１の発現は、未熟及び成熟Ｂ細胞に指令される。本発明の一具体例では、遺伝子導入動物は、細胞表面マーカーであるＣＤ５を発現する拡大したＢ細胞ポピュレーションを生じさせるマウスである。動物が加齢するに従い、これらの動物はＣＤ５+Ｂ細胞に関係するリンパ球性白血病を発症する。この状態は、ヒトＢ−ＣＬＬの特徴を表す。
【００３７】
本発明の別の具体例では、リンパ増殖を示す遺伝子導入動物からの白血球を第２の動物（非遺伝子導入動物であることができる）に転移させ、それによって該第２の「受容体」動物に迅速なリンパ増殖性疾患の発病を誘導することができる。
【００３８】
本発明の別の具体例によれば、リンパ増殖性疾患を予防し及び／又は治療するための見込まれる治療モダリティーを、本発明の一つ以上に従って作製された動物でこのようなモダリティーの抗リンパ増殖活性を測定することによって試験することができる。このような活性は、本発明の一具体例に従って作製された遺伝子導入動物によって及び／又は上記のような本発明の別の具体例に従って作製された「受容体」動物において示されるリンパ増殖性疾患の症状又は兆候の一つ以上を抑制し、予防し及び／又は破壊する見込まれる治療モダリティーの能力を測定することによって評価できる。例えば、化学化合物のようなこのような治療モダリティーは、薬剤として許容できる組成物を製造するために既知の方法に従って処方されるであろう。このような組成物は様々な標準法で患者に投与できる。
【実施例】
【００３９】
本発明を次の実施例でさらに説明する。これらの実施例の全ては実例である。これらの実施例は例示を目的とし、本発明の範囲を限定しようとするものではない。
【００４０】
材料及び方法
Ｅμ−ＴＣＬ１遺伝子導入マウス
全ヒトＴＣＬ１コード領域を保有する３５０ｂｐの断片をＰＣＲで生成し、そしてマウスＶHプロモーター（Ｖ１８６．２）及びＩｇH−μエンハンサーと共にヒトβ−グロブリン遺伝子の３'非翻訳領域及びポリ（Ａ）部位を含むｐＢＳＶＥ６ＢＫ（ｐＥμ）プラスミドのＥｃｏＲＶ及びＳａｌＩ部位にクローン化した。ベクター配列を含まないＴＣＬ１を含有する構築物をＢ６Ｃ３動物由来の受精卵母細胞に注入した。マウスに導入遺伝子が存在することをＸｈｏＩで消化されたテールＤＮＡについてのサザンブロット分析によって検査した。ブロットを、この卵母細胞に注入するために使用した同一のＢｓｓＨIIＤＮＡ断片とハイブリダイズさせた。２種の創始者個体を得（Ｆ３及びＦ１０）、そして飼育した。これらの創始者個体に由来する遺伝子導入ヘテロ接合体マウスを調査し、そして同一の条件で育てられた非遺伝子導入姉妹と比較した。遺伝子型の特定をテールＤＮＡについてのポリメラーゼ連鎖反応（ＰＣＲ）により実行した。
【００４１】
ウェスタンブロット分析
細胞蛋白質をＮＰ−４０溶解緩衝液で抽出し、ＢＣＡキット（ピアス社）を使用して定量し、１５％のトリス−グリシンＳＤＳ−ＰＡＧＥゲルでサイズ分画し、そしてニトロセルロース（Ｉｍｍｏｂｉｌｏｎ−Ｐ、ミリポア社製）上にエレクトロトランスファーした。この膜を１０％脱脂粉乳入りＰＢＳＴ（燐酸緩衝生理食塩水（ＰＢＳ）：７．６ｇ／ＬのＮａＣｌ、０．７ｇ／ＬのＮａ2ＰＯ4、０．２ｇ／ＬのＫＰＯ4及び０．１％のＴｗｅｅｎ２０）中で一晩ブロックした。発現を、ＥＣＬプロトコール（アマーシャム社）に従い、ヒトＴｃｌ１蛋白質（１４）に対するＭｏＡｂ２７Ｄ６／２０で検出した。ポンソーＳ染色法を使用して同等の蛋白質ローディングを確認した。
【００４２】
細胞の調製
骨髄細胞を、１０ｍＭのＨＥＰＥＳ、０．１％のＮａＮ3、３％のＦＣＳを含有する氷冷染色用媒体（不完全ＲＰＭＩ、アービン・サイエンティフック社）で大腿骨及び頸骨腔をフラッシュすることによって単離した。脾臓を２個の艶消しスライドの間にある染色用媒体中で解離させた。腹膜細胞を１０ｍＬの染色用媒体を腹腔に注入し、その後腹腔滲出物を回収することによって取り出した。赤血球を０．１６５Ｍの塩化アンモニウムで短時間に処理することによって溶解させ、次いでこれらの細胞を染色用媒体で洗浄した。
【００４３】
白血球細胞の調製
血液をＥＤＴＡでコートされたチューブ（ベクトン・ディキンソン社）内の毛細管で海綿静脈洞から採取した。塗抹標本を直ちに準備し、そしてメイ・グリュンワルド・ギムザ法で染色した。細胞カウンター（ベックマン）で全てカウントした。免疫蛍光染色法のために、細胞を０．１６５Ｍの塩化アンモニウムで処理して赤血球を取り除き、そして染色用媒体で洗浄した。
【００４４】
免疫蛍光分析及び細胞ソーティング
指示された細胞型の単一細胞懸濁液を準備し、そしてこれまでに説明されているように表面発現のために染色した(Hardy，R.R.，Carmack，C.E.，Shinton，S.A.，Kemp，J.D.及びHayakawa，K.(1991)J.Exp.Med.173巻，1213-1225)。細胞をＩｇＭ及びＣＤ５の表面発現のために染色し、次いでＦｉｘ＆Ｐｅｒｍキット（ＣａｌＴａｇ）を使用して固定し且つ透過性にし、そしてＰＥ標識抗Ｔｃｌ１モノクローナル抗体２７Ｄ６／２０を使用してＴｃｌ１の発現のために染色した(Narducci，M.G.，Pescarmona，E.，Lazzeri，C.，Signoretti，S.，Lavinia，A.M.，Remotti，D.，Scala，E.，Baroni，C.D.，Stoppacciaro，A.，Croce，C.M.，外，(2000)Cancer Res.60巻，2095-2100)。ＩｇＭ／ＣＤ５の分布を指示通りにゲート設定し、そしてＴｃｌ１染色のヒストグラムを決定した。プロットはＦｌｏｗＪｏソフトウェア（トリー・スター社）で行った。沃化プロピジウム排除を使用して死細胞を除去し、また示されたサンプルを前方及び直角の散乱でゲートしてリンパ球でない細胞及び破片も除外した。フローサイトメトリー及びソーティングを、５色免疫蛍光検出器を備えたデュアルレーザー・色素レーザーＦＡＣＳｔａｒＰＬＵＳで行った。サンプルは、ソーティング中に氷上で保持した。標識試薬の調製は、これまでに説明されている(Hardy，R.R.(1986):「The Handbook of Experimental Immunology 第4版，Weir，D.M.，Herzenberg，L.A.，Blackwell，C.C.及びHerzenberg L.A.著(ブラックウェル・サイエンティフィック出版社，エジンバラ)，pp.31.1-31.12)。
【００４５】
ＶHｌ１配列の分析
細胞をＩｇＭ／ＣＤ５発現のために染色し、そして１×１０5個のＩｇＭ+ＣＤ５+細胞を溶解／変性緩衝液に直接分取した。ＲＮＡ及びｃＤＮＡをこれまでに説明されているように調製し(Li，Y.S.，Wasserman，R.，Hayakawa，K.及びHardy，R.R.(1996)Immunity 5巻，527-535)、そしてＶHｌ１−Ｃμ断片をＶHｌ１及びＣμプライマーを使用し、Ｐｆｕポリメラーゼ及びＰＣＲを使用して増幅させた。増幅させた物質を、ＴＯＰＯ  ＴＡクローニングキット（インビトロゲン社）を使用してメーカーの説明書に従ってクローン化した。挿入物を有するコロニーを展開し、プラスミドＤＮＡを単離し、そしてこれまでに説明されているようにＡＢＩ３７７自動シーケンサーを使用して配列を決定した(Hardy，R.R.，Carmack，C.E.，Li，Y.S.及びHayakawa，K.(1994)Immunol.Rev.137巻，91-118)。
【００４６】
細胞周期の分析
沃化プロピジウム（ＰＩ）染色のために、１０5個の細胞を氷冷９５％エタノールに直接分取し、核をペレット状にし、次いでＰＩ標識用溶液（１ｍｇ／ｍＬのＲＮアーゼＡ、２０μｇ／ｍＬの沃化プロピジウムを、０．０１％のＮＰ４０を含有するＰＢＳに溶解してなる溶液）に再懸濁させた。３０分後に、細胞を、ダブレットディスクリミネーションゲーティングを使用するＦＡＣＳｃａｎでＰＩ蛍光について分析した。
【００４７】
細胞増殖の分析
マウスに５−ブロムデオキシウリジン（ＢｒｄＵ）ＰＢＳ溶液を４日間にわたって毎日体重（グラム）当たり５０μｇの投与量で腹腔内に注入した。マウスを犠牲にし、そして細胞をＩｇＭ及びＣＤ５の発現のために染色し、次いでソーティングして示されたポピュレーションを得た。５×１０5個の細胞を固定し且つ透過性にし、次いでＤＮアーゼの酸性緩衝液で処理し、そしてＦＩＴＣで標識された抗ＢｒｄＵモノクローナル抗体で染色した。サンプルをＢｒｄＵ染色についてＦＡＣＳｃａｎで分析した。
【００４８】
ＩｇＨ遺伝子再構成の分析
ＥｃｏＲＩ及びＳｔｕＩで消化されたＤＮＡのサザンブロットを慣用方法に従って準備し、そしてＩｇＨ座のＪH４領域に相当する32Ｐ標識ＤＮＡプローブＰＪ３とハイブリダイズさせた。
【００４９】
このプローブは、プライマーＦ２（５'−ＴＧＴＧＧＴＧＡＣＡＴＴＡＧＡＡＣＴＧＡＡＧＴＡ−３'）（配列番号１）及びＲｌ（５'−ＣＡＡＧＡＴＴＡＧＴＣＴＧＣＡＡＴＧＣＴＣＡＧＡ−３'）（配列番号２）によりマウスＤＮＡからＰＣＲ増幅によって合成された。
【００５０】
長距離インバース（long distance inverse）ＰＣＲ（ＬＤＩ−ＰＣＲ）
高分子量ＤＮＡをＳｔｕＩで消化した。ＬＤＩ−ＰＣＲを説明通りに実行した(Willis，T.G.，Jadayel，D.M.，Coignet，L.J.A.，Abdul-Rauf，M.，Treleaven，J.G.，Catovsky，D.及びDyer，M.J.S.(1997)Blood 90巻，2456-2464)。マウスＪＨ及びＩＧＨエンハンサー領域内にデザインされているプライマーを使用して精製ＤＮＡを増幅し、そしてゲル精製産物をｐＣＲ２．１−ＴＯＰＯベクター（インビトロン社）に連結した。正確なサイズの挿入物を含有するプラスミドを、ＡＢＩ３７７自動シーケンサーを使用して配列を決定し、そしてＢＬＡＳＴプログラム（http://www.ncbi.nlm.nih.gov/BLAST/）を使用してＧｅｎｂａｎｋデータベースと比較した。ＶＨ、ＤＨ及びＪＨセグメントを、Ｇｅｎｂａｎｋデータベースを使用して同定した。
【００５１】
組織病理学及び免疫組織化学
動物を死後解剖し、そして組織を１０％緩衝化ホルマリンで固定し、パラフィンに包埋した。切片を標準的なプロトコールに従ってヘマトキシリン及びエオシンで染色し、そしてマウス病理学者が分析した（ミズーリ大学動物診断研究所）。免疫組織化学を代表的な切片について実行した。脱ろう工程のために、これらの切片を１時間にわたって５５℃で加熱し、その後段階エタノール系列及び蒸留水による再水和工程を行い、ＰＢＳ中に浸漬させ、次いで０．１％トリプシンのトリス緩衝溶液で３０分にわたって３７℃で処理した。内在性ペルオキシダーゼを１０％の正常血清でブロックした。組換えヒトＴｃｌ１蛋白質（１４）に対して特異的な２７Ｄ６／２０ＭｏＡｂを一次抗体として使用し、そして免疫組織化学染色をストレプトアビジン−ビオチンペルオキシダーゼ標識法をメーカーの説明書に従って使用することによって実行した（Ｈｉｓｔｏｍｏｕｓｅ−ＳＰキット、Ｚｙｍｅｄ社）。
【００５２】
例１
Ｅμ−ＴＣＬ１遺伝子導入マウスの作製及びキャラクテリゼーション
ＴＣＬ１の発現が未成熟及び成熟Ｂ細胞への該導入遺伝子の発現を特異的に標的とする活性を有するＶHプロモーター−ＩｇＨ−Ｅμエンハンサーの調節化にある遺伝子導入マウスを生み出した(Shaw，A.C.，Swat，W.，Ferrini，R.，Davidson，L.及びAlt，F.W.(1999)J.Exp.Med.189巻，123-129)（図１Ａ）。Ｆ３及びＦ１０として示される、Ｂ６Ｃ３を背景とする２種の遺伝子導入創始者個体を生み出し、そして飼育して２種の遺伝子導入系統を確立させた（図１Ｂ）。各個体における導入遺伝子の発現を、ヒトＴｃｌ１蛋白質に対して特異的なモノクローナル抗体を使用した生後３ヶ月のマウスの脾臓、骨髄及び肝臓から抽出された全蛋白質のウエスタンブロットによって評価した(M.G.，Pescarmona，E.，Lazzeri，C.，Signoretti，S.，Lavinia，A.M.，Remotti，D.，Scala，E.，Baroni，C.D.，Stoppacciaro，A.，Croce，C.M.外(2000)Cancer Res.60巻，2095-2100)。２種の遺伝子導入系統は脾臓及び骨髄内でＴｃｌ１を発現したが、肝臓又は非遺伝子導入姉妹では発現は検出されなかった（図１Ｃ）。また、蛍光活性化細胞ソーティング（ＦＡＣＳ）を使用して、両遺伝子導入系統の生後３ヶ月のマウスの脾臓及び腹腔由来Ｂ細胞のゲート設定されたサブセットについてＴＣＬ１発現の分布も調査した。細胞表面マーカーとＴｃｌ１の細胞内検出との組み合わせから、正常な静止Ｂ細胞では高レベルのＴＣＬ１発現が明らかになり、ＣＤ５+細胞ではそれよりも２．５倍高いレベルが明らかになった（図１Ｄ）。
【００５３】
例２
Ｅμ−ＴＣＬ１遺伝子導入マウスの表現型分析
以下に示すように、フローサイトメトリー分析により、生後２ヶ月から始まるＥμ−ＴＣＬ１マウス腹腔内での著しく拡大したＣＤ５+ポピュレーションが明らかになり、これは、３〜５ヶ月のうちに脾臓で及び５〜８ヶ月のうちに骨髄で明らかになった。免疫グロブリン遺伝子再構成の分析により、ＣＤ５+Ｂ細胞クローンの腫瘍形成前の拡大を示唆するこれらのポピュレーションのモノクローン性又はオリゴクローン性が示された。
【００５４】
Ｅμ−ＴＣＬ１遺伝子導入マウスの免疫表現型検査により拡大したＣＤ５+／ＩｇＭ+ポピュレーションを明らかにする
フローサイトメトリーを使用して生後１ヶ月〜９ヶ月のこれら２系統のマウスからの末梢血リンパ球（ＰＢＬ）の免疫表現型プロファイルを監視した。この結果から、生後６ヶ月から始まる遺伝子導入マウスの１００％（病気のいかなる兆候も存在しない）で検出されたＢ２２０ｌｏｗ／ＩｇＭ+ポピュレーションの存在が明らかになった。Ｂ細胞ポピュレーションの正常な分布が非遺伝子導入コントロール群中に見出された。Ｔ細胞のサブセットは正常であり且つ遺伝子導入動物群とそれらの同腹子コントロール群との間で一致していた。Ｅμ−ＴＣＬ１遺伝子導入マウスを、影響を受けたＢ細胞のサブセットを同定するためにさらに特徴付けた。拡大Ｂ２２０ｌｏｗ／ＩｇＭ+ポピュレーションは、ＣＤ５とＭａｃ−１／ＣＤ１１ｂを共発現することが分かった。この結果から、Ｅμ−ＴＣＬ１遺伝子導入マウスは、抹消血中で拡大したＣＤ５+／Ｂ１細胞ポピュレーションを有していたことが示唆された。ここで、このような細胞は通常はまれである(Kantor，A.B.及びHerzenberg，L.A.(1993).Annu.Rev.Immunol.11巻，501-538)。マウスでは、ＣＤ５は、胎児／新生児の時期中に出現するＢリンパ球サブセット上にも存在する全Ｔ細胞表面マーカーであり、しかもその発生は、Ｂ細胞の大部分とは完全に異なって出現する(Hardy，R.R.，Carmack，C.E.，Li，Y.S.及びHayakawa，K.(1994)Immunol.Rev.137巻，91-118;Hayakawa，K.及びHardy，R.R.(1988)Annu.Rev.Immunol.6巻，197-218)。また、ＣＤ５は、ネズミＢ細胞性リンパ腫及び白血病でも頻繁に発現する(Lanier，L.L.，Warner，N.L.，Ledbetter，J.A.及びHerzenberg，L.A.(1981)J.Exp.Med.153巻，998-1003;Phillips，J.A.，Mehta，K.，Fernandez，C.及びRaveche’，E.S.(1992)Cancer Res.52巻，437-443)。ある種の動物群を、その骨髄、脾臓及び腹腔中でのＣＤ５+／／ＩｇＭ+ポピュレーションの拡大を評価するために生後２、４及び８ヶ月目に分析した。ＦＡＣＳ分析により、生後２ヶ月から始まる遺伝子導入マウスの腹腔内での著しく拡大した表現型が均一なポピュレーション（４４％）が明らかになり、４ヶ月のうちに脾臓で（８．６％）及び８ヶ月のうちに骨髄で（４３％）で明らかになった（図２Ａ）。
【００５５】
遺伝子導入マウスの組織学及び免疫細胞化学的分析
生後８ヶ月の遺伝子導入マウスは、同腹子コントロール群と比較して１．５倍の僅かに拡大した脾臓及びさらに５０〜１００の範囲で増加した腹腔内での非常に高い細胞性を示した。Ｅμ−ＴＣＬ１マウスの拡大した脾臓の組織病理学から、縁帯（ＭＺ）サイズの一貫した増加が示された（図２Ｂ）。脾臓の白脾髄中のリンパ細胞の免疫染色により、ＭＺ中でより強いＴｃｌ１染色が示された。予期されるように、同腹子コントロール群の脾臓では免疫染色は全く観察されなかった（図２Ｃ）。興味深いことに、拡大ＣＤ５+細胞の解剖学上の局在はＭＺ中にあるが、これらのものは典型的なＭＺＢ細胞の正確な表現型を有しなかった（即ち、ＣＤ２１−ｈｉｇｈではなく、むしろ正常のＣＤ５+Ｂ細胞のようにＣＤ２１−ｌｏｗであった）(Chen，X.，Martin，F.，Forbush，K.A.，Perlmutter，R.M.及びKearney，J.F.(1997)Int.Immunol.9巻，27-41)。胸腺、肝臓、腎臓及び腸を含め、同一の動物からのその他の組織の組織学的分析からは、いかなる病理学的変化も明らかにならなかった（示さない）。
【００５６】
拡大ＣＤ５+ポピュレーションにおけるＶＨｌ１配列の分析
これらの遺伝子導入マウスにおけるＣＤ５+Ｂ細胞の頻度の増大は、通常ＣＤ５+ではない細胞でのＣＤ５発現の誘導又はさもなければ正常に発生したＣＤ５+Ｂ細胞の拡大のいずれかを表すことができた。選択肢を区別するために、本発明者らは、拡大細胞ポピュレーションにおけるＶ遺伝子の利用を調査した。ある種のＶHＶL結合体の反復発現は、正常及び腫瘍性ＣＤ５+Ｂ細胞の特徴的な性質である(R.R.，Carmack，C.E.，Li，Y.S.及びHayakawa，K.(1994)Immunol.Rev.137，91-118;Pennell，C.A.，Arnold，L.W.，Haughton，G.及びClarke，S.H.(1988)J.Immunol.141巻，2788-2796)。本発明者らは、可変領域に対して特異的な抗体を使用して、これらの結合体の一種であるＶHｌ１Ｖk９が、分析された全てのマウスにおいて、正常ＣＤ５+Ｂ細胞で見られる頻度に類似する、拡大ＣＤ５+Ｂ細胞ポピュレーション中の５〜１０％で繰り返し発現することを見出した（データは示さない）。さらに、生後３ヶ月の遺伝子導入マウスの脾臓由来の分取されたＩｇＭ+／ＣＤ５+細胞からのＶHｌ１配列の分析（表１）により、ＴｄＴのレベルが低いときに主として胎児／新生児に生じるＣＤ５+Ｂ細胞の典型である低レベルのＮ領域付加を伴う正常なＶHｌ１再構成が示された(Li，Y.S.，Hayakawa，K.及びHardy，R.R.(1993)J.Exp.Med.178巻，951-960)。
【表１】
2005523712.tif 000002
【００５７】
ＩｇＭ+／ＣＤ５+ポピュレーションは細胞周期のＧ0／Ｇ1期で停止し且つ積極的には分裂しない
慢性リンパ球性白血病細胞は、低い増殖活性及び細胞周期の早期（Ｇ0／Ｇ1）に阻止されるクローンＢリンパ球の進行的蓄積によって特徴付けられる(Andreeff，M.，Darzynkiewicz，Z.，Sharpless，T.K.，Clarkson，B.D.及びMelamed，M.R.(1980)Blood 55巻，282-293;Nilsson，K.(1992)Chronic Lymphocytic Leukemia:Scientific Advances & Clinical development，Cheson，B.D.著(New York)，pp.33-45)。本発明者は、生後７ヶ月の４匹の遺伝子導入マウスと４匹の同腹子コントロールの脾臓及び腹腔での細胞周期分布及び細胞増殖速度を調査した。沃化プロピジウム（ＰＩ）標識による複製細胞中のＤＮＡ含量の検出及びＩｇＭ+ＣＤ５+分取ポピュレーションにおける５−ブロム−２'−デオキシウリジン（ＢｒｄＵ）取り込みの分布からの細胞増殖の分析により、これらの細胞の大部分は、遺伝子導入マウス内で積極的には循環していないことが明らかになった（図２Ｄ、Ｅ）。
【００５８】
拡大ＣＤ５+ポピュレーションを有する遺伝子導入マウスにおけるＩｇＨ遺伝子構成
Ｉｇ遺伝子再構成の分析から、前白血病又は白血病クローンが生後７ヶ月以上のＥμ−ＴＣＬ１マウスに一貫して存在することが明らかになった。最も若い遺伝子導入マウス又は非遺伝子導入マウスではクローン性は全く観察されなかった（図３Ａ）。クローンＪH再構成の検出により、病気の兆候のないクローン性増殖が存在し得ることが示された。著しく拡大したＣＤ５+／ＩｇＭ+ポピュレーションを有する生後８ヶ月のマウスからの骨髄、脾臓及び腹腔におけるＩｇ遺伝子再構成のさらなる分析から、同一サイズのＪHバンドが脾臓及び腹腔で検出されるが、骨髄では検出されないことが示された（図３Ｂ）。このクローンＪHバンドは、いつも脾臓と腹腔の間で共有されるとは限らない。例えば、２つの独立したクローン性ポピュレーションを示すマウス＃４０（図３Ｂ）に留意されたい。これは、場合によって複数の独立した事象が起こり得ることを示唆している。クローン性再構成は、その後、長距離インバースポリメラーゼ連鎖反応（ＬＤＩ−ＰＣＲ）を使用して再構成バンドをクローニング及び配列決定することによっていくつかのサンプルで確認した(Willis，T.G.，Jadayel，D.M.，Coignet，L.J.A.，Abdul-Rauf，M.，Treleaven，J.G.，Catovsky，D.及びDyer，M.J.S.(1997)Blood 90巻，2456-2464)。この手法を使用すると、遺伝子導入マウスは、同腹子コントロールと比較してさらなるクローン性再構成を示した。表２は、図３Ａにおいて９ｍ及び８ｍとしてマークされた、ＳｔｕＩ消化の（＋）サンプルを指す配列データを示している。正常なＣＤ５+Ｂ細胞の配列分析(Kantor，A.B.，Merrill，C.E.，Herzenberg，L.A.及びHillson，J.L.(1997)J.Immunol.158巻，1175-1186)において特筆されているように、いくつかの配列は低レベルのＮ付加を有していたが、その他の配列はそれよりも高いレベルを有していた（表２）。また、遺伝子導入＃４１（図３Ｂ）についてのサザンブロットによって示唆された脾臓及び腹腔でのクローン性ポピュレーションもＬＤＩ−ＰＣＲによって確認した（表２）。
【表２】
2005523712.tif 000003
【００５９】
例３
Ｅμ−ＴＣＬ１マウスは老化によりリンパ球性白血病を発症した
高齢のマウスは、最終的にはヒトＢ−ＣＬＬに類似するＣＬＬ様の疾患を発症する。高齢のマウスの明白な白血病の発病は、Ｂ−ＣＬＬネズミモデルの確立のさらなる証拠を与えた。生後１３〜１８ヶ月周辺の全てのマウスは目に見えて不健康になり、そして高い白血球細胞（ＷＢＣ）総数に関連した脾臓及び肝臓腫大が現れた。遺伝子導入脾臓の重量は１．５ｇ〜２．３ｇであり（正常の脾臓重量は０．０７±０．０１ｇであった）、ＷＢＣの平均は、１８０．０×１０6細胞／ｍＬであった（正常の成体マウスについての平均ＷＢＣ／ｍＬ血液は２．８×１０6細胞／ｍＬであった）。さらに、これらのマウスは、ヒトＣＬＬの顕著な特徴である進行リンパ腺症をも発症した。血液塗抹標本の細胞学的試験により、循環リンパ球の増加が示され、それらの多くが凝集した核クロマチンを示した（図４Ａ、Ｂ）。主な細胞型は大リンパ球細胞によって表され、そして濃染細胞も存在した。組織病理学的試験により、小リンパ球及び大リンパ球による脾臓、肝臓及びリンパ節の一貫した浸潤が示された（図４Ｃ、Ｅ、Ｇ）。Ｔｃｌ１蛋白質に対する陽性染色が主としてこれらの組織中に見出されるリンパ球で観察され（図４Ｄ、Ｆ、Ｈ）、そしてフローサイトメトリー分析により全ての組織でＣＤ５+／ＩｇＭ+の拡大が確認された（データは示さない）。クローン性は、ＰＪ３プローブを使用した白血病性脾細胞から単離されたＤＮＡのサザンブロット分析によって示された（図５）。同腹子コントロールの脾臓からのＤＮＡは、その生殖細胞系統の構成のＩｇＨ遺伝子を示したが、白血病性脾細胞からのＤＮＡはそれ以外の再構成されたバンドを示した。これはクローン性Ｂ細胞ポピュレーションの存在を示している。
【００６０】
上記知見は、最も一般的なヒト白血病であるＣＬＬのための動物モデルを提供し、そしてＴｃｌ１経路の調節解除がＣＬＬの病因に重要な役割を果たしていることを示す。さらなる議論については、Roberta Bichi，Susan A.Shinton，Eric S.Martin，Anatoliy Koval，George A.Calin，Rossano Cesari，Giandomenico Russo，Richard R.Hardy及びCarlo M.Croce，Human chronic lymphocytic leukemia modeled in mouse by targeted TCL1 expression，(2002)Proc.Natl.Acad.Sci.USA 99巻(10):6955-6960を参照されたい。この開示は、本明細書において参考として引用されている。
【００６１】
例４
本発明の具体例に従う遺伝子導入マウスが示すリンパ増殖性状態は、同系動物に移植できることが分かった。
原発ＣＬＬリンパ腫を拡大させるための方法
瀕死のＥμ−ＴＣＬ１遺伝子導入マウスを犠牲にし、そして解剖した。脾臓、又は、頻度は少ないがリンパ節白血球を単離し、カウントし、ＰＢＳで希釈し、そして同系マウスにマウス当たり１億個、１０００万個、１００万個、１０万個又は１万個の細胞で注入した。冒された組織からの数個の細胞をＦＡＣＳ分析のためにＩｇＭ、Ｂ２２０及び／又はＣＤ５に対して染色した。骨髄細胞を細胞遺伝学的分析のために集めた。
【表３】
2005523712.tif 000004
【００６２】
【表４】
2005523712.tif 000005
【００６３】
本明細書において引用し又は説明したそれぞれの特許、特許出願及び刊行物は、参考のために本明細書に含めている。
本発明の様々な改変は、本明細書に記載したもののほか、当業者であれば前記記載から明らかであろう。また、このような改変は、添付した請求の範囲内に包含される。
【図面の簡単な説明】
【００６４】
【図１】Ｅμ−ＴＣＬ１遺伝子導入マウスの作製を示す図である。
【図２】Ｅμ−ＴＣＬ１マウスのキャラクテリゼーションを示す図である。
【図３】ＩｇＨ遺伝子構成の分析を示す図である。
【図４】Ｅμ−ＴＣＬ１マウスの組織病理学分析を示す図である。
【図５】遺伝子導入マウスからの白血病におけるＩｇＨ遺伝子再構成のサザンブロット分析を示す図である。
【配列表】
2005523712.tif 000006
2005523712.tif 000007
2005523712.tif 000008
【図１】
2005523712.tif 000009
【図２】
2005523712.tif 000010
【図３】
2005523712.tif 000011
2005523712.tif 000012
【図５】
2005523712.tif 000013
【国際調査報告】
2005523712.tif 000014
2005523712.tif 000015
2005523712.tif 000016